(57)【要約】【課題】所望の場所に容易に設置でき、構造が簡単で安価に構成でき、使い勝手が良好で、地震が発生した場合でも転倒し難い物品収容スタンドを提供する。【解決手段】この物品収容スタンドは、少なくとも中央部が磁性を有する敷板部３、底部２ｃに板状のマグネット１５が取り付けられ、敷板部３の中央部に載置される中空のスタンドベース２、スタンドベース２の頂部２ａに穿設された貫通孔２ｂに緩衝部材１４を介して立設される支柱１、複数の収容部４１〜４４を備える。収容部４１〜４４は、支柱１の上下方向任意の箇所に取り付け可能であって、支柱１を一対の挟持部材で支柱１の軸方向に挟持する挟持部２１、一対の挟持部材を互いに回動自在とするための支柱の一端に取り付けられた一端と他端とのなす角度が変更及び保持可能に構成された継手部２２、継手部２２の他端に取り外し可能に取り付けられた収容部材２３を有する。【選択図】図１
0003180047.tif 000002
【実用新案登録請求の範囲】
【請求項１】
少なくとも中央部が磁性を有する敷板部と、
底部に板状のマグネットが取り付けられ、前記敷板部の前記中央部に載置される中空のスタンドベースと、
前記スタンドベースの頂部に穿設された貫通孔に緩衝部材を介して立設される支柱と、
前記支柱の上下方向の任意の箇所に取り付け可能であって、前記支柱を一対の挟持部材で前記支柱の軸方向に挟持する挟持部と、前記挟持部の前記一対の挟持部材を互いに回動自在とするための支柱の一端に取り付けられた一端と他端とのなす角度が変更及び保持可能に構成された継手部と、前記継手部の前記他端に取り外し可能に取り付けられた収容部材とを有する複数の収容部と、
を備えていることを特徴とする物品収容スタンド。
【請求項２】
前記複数の収容部の下部と、前記スタンドベースの前記頂部との間に設けられた落下物受け取りネットを備えていることを特徴とする請求項１に記載の物品収容スタンド。
【考案の詳細な説明】
【技術分野】
【０００１】
本考案は、支柱の周り上下に配置した複数の収容部に各種物品を収容する物品収容スタンドに関する。
【背景技術】
【０００２】
従来のフラワースタンドには、床面と天井間に立設した支柱に対して、支柱を中心に回転及び上下動自在かつ支柱上の任意の位置にて固定可能な花台を設けたものがある（例えば、特許文献１参照。）。以下、この技術を第１の従来例と呼ぶ。
【０００３】
また、従来の小物陳列スタンドには、スタンドベースに垂直に立設した支柱と、その支柱を軸に回転可能にするため支柱で挿し通した複数のブラケットと、開口部を有しその開口部の向きをブラケットに対して可変に嵌め合わせた小物容器とからなるものもある（例えば、特許文献２参照。）。以下、この技術を第２の従来例と呼ぶ。
【先行技術文献】
【特許文献】
【０００４】
【特許文献１】特開２０００−１１６４８４号公報（請求項１、図１）
【特許文献２】実用新案登録第３１６１９０６号公報（請求項１、図１）
【考案の概要】
【考案が解決しようとする課題】
【０００５】
上記した第１の従来例では、床面と天井との間に支柱を立設しなければならないので、設置場所が限定され、所望の場所に設置できないことが多いという問題があった。また、上記した第１の従来例では、植木鉢を取り付ける花台の構造が複雑であるので、高価になるという問題があった。さらに、上記した第１の従来例では、花台は支柱に対して回転可能及び上下方向へも移動可能に構成されているが、回転及び移動にはその都度ナットをゆるめたり締付けたりする必要があるので、使い勝手が良好でないという問題もあった。
【０００６】
一方、上記した第２の従来例では、小物容器から物品を取り出したり、戻したりする際、当該物品を誤って落下させた場合、当該物品は、床等に落下して故障又は破壊したり、あるいは、所在が分からなくなったりすることがあるという問題があった。この点は、上記した第１の従来例も同様である。また、上記した第２の従来例では、例えば、地震が発生した場合、転倒しやすいという問題があった。
【０００７】
本考案は、上述した事情に鑑みてなされたものであり、上述のような問題を解決することを課題の一例とするものであり、これらの課題を解決することができる物品収容スタンドを提供することを目的とする。
【課題を解決するための手段】
【０００８】
上記課題を解決するために、請求項１に記載の考案に係る物品収容スタンドは、少なくとも中央部が磁性を有する敷板部と、底部に板状のマグネットが取り付けられ、前記敷板部の前記中央部に載置される中空のスタンドベースと、前記スタンドベースの頂部に穿設された貫通孔に緩衝部材を介して立設される支柱と、前記支柱の上下方向の任意の箇所に取り付け可能であって、前記支柱を一対の挟持部材で前記支柱の軸方向に挟持する挟持部と、前記挟持部の前記一対の挟持部材を互いに回動自在とするための支柱の一端に取り付けられた一端と他端とのなす角度が変更及び保持可能に構成された継手部と、前記継手部の前記他端に取り外し可能に取り付けられた収容部材とを有する複数の収容部と、を備えていることを特徴としている。
【０００９】
また、請求項２に記載の考案は、請求項１記載の物品収容スタンドに係り、前記複数の収容部の下部と、前記スタンドベースの前記頂部との間に設けられた落下物受け取りネットを備えていることを特徴としている。
【考案の効果】
【００１０】
本考案によれば、この物品収容スタンドは、所望の場所、例えば、ベッドサイドなどに容易に設置することができる。また、この物品収容スタンドは、構造が簡単であるので、安価に構成することができる。さらに、この物品収容スタンドは、収容部を支柱上下方向の任意の位置に容易に設置することができるので、使い勝手が良好である。また、この物品収容スタンドは、利用者が、収容部から所望の物品を取り出したり戻したりする際、当該物品を誤って落下させた場合でも、落下物受け取りネット上に落下するので、当該物品が床等に落下して故障又は破壊したり、あるいは、所在が分からなくなったりすることがない。また、この物品収容スタンドは、地震が発生した場合でも、転倒し難い。
【図面の簡単な説明】
【００１１】
【図１】本考案の一実施の形態に係る物品収容スタンドの構成を示す概念図である。
【考案を実施するための形態】
【００１２】
以下、図面を参照して本考案を実施するための形態について説明する。図１は、本考案の一実施の形態に係る物品収容スタンドの構成を示す概念図である。本実施の形態に係る物品収容スタンドは、支柱１と、スタンドベース２と、敷板部３と、収容部４１〜４４と、照明部５と、落下物受け取りネット６とから概略構成されている。
【００１３】
支柱１は、小径筒状体１１を大径筒状体１２内に収容する収縮状態と、小径筒状体１１を大径筒状体１２より引き出した伸長状態とのいずれの状態も保持可能な伸縮形式で構成されている。小径筒状体１１の上端近傍から下端近傍までには、図示しないが、所定間隔で、軸と直交する方向に複数の貫通孔が穿設されているとともに、各貫通孔の周縁部に雌ねじが形成されている。一方、大径筒状体１２の上端近傍には、貫通孔が形成されている。固定部材１３は、軸部周囲に雄ねじが形成され、基端にツマミが形成されている。
【００１４】
したがって、例えば、小径筒状体１１の下端近傍の雌ねじと、大径筒状体１２の上端近傍の貫通孔とを位置合わせした後、大径筒状体１２側の貫通孔から固定部材１３の軸部を挿入して小径筒状体１１側の雌ねじに固定部材１３の雄ねじを螺合させることにより、支柱１は、小径筒状体１１を大径筒状体１２より最大に引き出した伸長状態に保持することができる。
【００１５】
支柱１を構成する小径筒状体１１及び大径筒状体１２の素材としては、例えば、鉄、銅、亜鉛、アルミニウム、チタン、クロム、ニッケル等の金属又はこれらの合金（例えば、ステンレス、黄銅等）でも良い。また、支柱１を構成する小径筒状体１１及び大径筒状体１２は、例えば、釣り竿のように、強化繊維群に熱硬化性樹脂又は熱可塑性樹脂を含浸させる等して作製しても良い。強化繊維としては、例えば、炭素繊維、ガラス繊維、アラミド繊維、アルミナ繊維等を使用することができる。熱硬化性樹脂としては、例えば、フェノール樹脂、ポリエステル樹脂等を使用することができ、熱可塑性樹脂としては、例えば、ポリ塩化ビニル、ポリビニルエーテル等を使用することができる。
【００１６】
支柱１を構成する小径筒状体１１の頂部１１ａには、照明部５が取り付けられている。照明部５は、例えば、電球、蛍光灯、発光ダイオード等から構成されている。照明部５は、図示せぬ電源スイッチの投入により、常時点灯する、あるいは、規則的又は不規則的な点滅等を行うよう、予め定められていても良い。照明部５の発光色は、白色、赤色、青色、緑色あるいは、マルチカラーが発光可能な場合は、これらの色の組合せのいずれでも良い。照明部５に電力を供給するための配線は、支柱１内を通過して、スタンドベース２の内部に到達している。
【００１７】
支柱１を構成する大径筒状体１２の上下方向略中央には、落下物受け取りネット６を取り付けるための落下物受け取りステー１６が大径筒状体１２と一体に又は別体に取り付けられている。
【００１８】
落下物受け取りネット６が図１に示すように略矩形状を呈している場合、落下物受け取りステー１６は、落下物受け取りネット６の四隅と大径筒状体１２との間に、４本の支柱１６１〜１６４を設置する。落下物受け取りネット６の四隅は、例えば、各支柱１６１〜１６４の上端に形成されたＯ型又は下部が開放したＣ型（図１の例ではＯ型）の取付部１６１ａ〜１６４ａに紐等で結びつけて固定する。４本の支柱１６１〜１６４は、傘の構造と同様に、大径筒状体１２に沿うようにそれぞれ折り畳み可能であったり、伸縮可能であったり、あるいはこれら両方の機能を有していても良い。
【００１９】
一方、落下物受け取りネット６が略円形状を呈している場合、落下物受け取りステー１６は、落下物受け取りネット６の円周の等間隔の３箇所又は４箇所と大径筒状体１２との間に、３本又は４本の支柱を設置する。落下物受け取りネット６の円周の等間隔の３箇所又は４箇所は、例えば、各支柱の上端に形成されたＯ型又は下部が開放したＣ型の取付部に紐等で結びつけて固定する。落下物受け取りステー１６の素材は、小径筒状体１１及び大径筒状体１２の素材と略同様で良い。
【００２０】
落下物受け取りネット６の編み目は、収容部４１〜４４からの落下物がすり抜けない程度の大きさで良い。落下物受け取りネット６は、略中央部に最も近い編み目に支柱１の大径筒状体１２を挿入させる。落下物受け取りネット６の素材は、コットンやウール、麻等の天然繊維、ポリエステルやナイロン、ポリエチレン等の合成繊維、キュプラ等の再生繊維のいずれでも良い。ただし、落下物受け取りネット６の素材は、落下物受け取りネット６の張り方にもよるが、落下物受け取りネット６に落下した落下物が跳ね上がって落下物受け取りネット６の外部に飛び出さない程度の物性を有していることが好ましい。
【００２１】
スタンドベース２は、中空であって、略球形状を呈しており、頂部２ａは支柱１が挿入可能なように略円形の貫通孔２ｂが穿設されている。貫通孔２ｂの周縁又は下部の一方又は両方には、緩衝部材１４が取り付けられている。緩衝部材１４は、支柱１又は物品収容スタンド全体の揺れをある程度吸収し、物品収容スタンドの転倒を防止するためのものである。
【００２２】
緩衝部材１４の材料としては、振動を伝え難い素材、例えば、ゴム素材、フェルトなどの柔らかい繊維素材、エラストマ素材、シリコン系のゲル、ポリウレタン系樹脂やエポキシ系樹脂等をナイロン等不織布に含浸させたものなどがある。ゴム素材としては、例えば、シリコンゴム、ポリイソブチレンゴム、ポリイソプレンゴム、ポリクロロプレンゴム、スチレン−ブタジエンゴム、アクリロニトリル−ブタジエンゴム、イソブチレン−イソプレンゴムなど、天然のもの又は合成されたもの、発泡されたもの又は非発泡のものがある。なお、緩衝部材１４は、必ずしも上記材料に限定する必要はなく、支柱１又は物品収容スタンド全体の揺れをある程度吸収し、物品収容スタンドの転倒を防止することが可能であるものであれば、素材や形状はどのようなものでも良い。
【００２３】
スタンドベース２の底部２ｃは、例えば、住居の床面上に載置可能なように平面状を呈している。底部２ｃには、板状であって、平面形状が略円形状のマグネット１５が取り付けられている。スタンドベース２の素材としては、例えば、熱硬化性樹脂又は熱可塑性樹脂を使用することができる。熱硬化性樹脂としては、例えば、フェノール樹脂、ポリエステル樹脂等を使用することができ、熱可塑性樹脂としては、例えば、ポリ塩化ビニル、ポリビニルエーテル等を使用することができる。
【００２４】
スタンドベース２の表面は、透明又は半透明のいずれでも良く、無色でも所定の一色又は複数の色の組合せで着色されていても良い。スタンドベース２の表面は、また、無模様でも、一定の模様、例えば、亀甲模様が施されていても良い。
【００２５】
スタンドベース２の頂部２ａの貫通孔２ｂの周縁には、図示しないが、緩衝部材１４及び支柱１の下端を固定するための固定部材が取り付けられている。固定部材の略中央部には、支柱１の下端内径と略同径の貫通孔が穿設されている。
【００２６】
スタンドベース２の内部には、内部照明部１７が取り付けられている。内部照明部１７は、例えば、電球、蛍光灯、発光ダイオード等から構成されている。内部照明部１７は、図示せぬ電源スイッチの投入により、常時点灯する、あるいは、規則的又は不規則的な点滅等を行うよう、予め定められていても良い。内部照明部１７の発光色は、白色、赤色、青色、緑色あるいは、マルチカラーが発光可能な場合は、これらの色の組合せのいずれでも良い。さらに、内部照明部１７は、照明部５とは同一材料、同一色、同一の点灯又は点滅状態でも良く、照明部５とは材料、色、点灯又は点滅状態のいずれか又は全てを異ならせても良い。
【００２７】
また、スタンドベース２の内部には、ＡＣアダプター１８及びバッテリ１９が設けられている。スタンドベース２の底部２ｃ近傍の側面に形成された開口部２ｄには、入電ソケット２０が取り付けられている。入電ソケット２０の外部側には、ＡＣ１００Ｖの商用電源電圧を供給する電源ケーブル（図示略）のプラグが挿入される。入電ソケット２０の内部側は、ＡＣアダプター１８の入力端に電気的に接続されている。ＡＣアダプター１８の出力端は、バッテリ１９の入力端に電気的に接続されている。ＡＣアダプター１８は、商用電源電圧ＡＣ１００Ｖを所定の直流電圧（例えば、１２Ｖ）に変換してバッテリ１９に供給する。バッテリ１９の出力端は、照明部５及び内部照明部１７に電気的に接続されている。バッテリ１９は、ＡＣアダプター１８から供給される直流電圧を充電するとともに、照明部５及び内部照明部１７にそれぞれ電力を供給する。
【００２８】
敷板部３は、平面形状が略矩形状でも略円形状でも良い。また、敷板部３の素材としては、例えば、鉄等の磁性を有する金属、磁性材料を混入した合成樹脂などがある。さらに、敷板部３は、全体の素材は磁性を有していないが、スタンドベース２の底部２ｃに取り付けられたマグネット１５と対向する箇所に凹部を形成し、鉄等の磁性を有する金属、磁性材料を混入した合成樹脂等を素材とした載置部材を嵌合しても良い。
【００２９】
収容部４１〜４４は、挟持部２１と、継手部２２と、収容部材２３とから構成されている。収容部４１〜４４では、収容部材２３の形状等は異なるが、挟持部２１及び継手部２２は同一構造及び同一素材で構成されている。したがって、収容部４１を例にとって説明する。挟持部２１は、略バチ状を呈した一対の挟持部材と、一対の挟持部材を互いに回動自在とするための支柱と、支柱に中心部が遊嵌され、各挟持部材の先端側を互いに近づける方向に付勢するばねとから構成されている。挟持部２１が一対の挟持部材で支柱１を軸方向に挟持する挟持力は、収容部材２３に物品を収容した状態で収容部４１を使用者の所望の位置（支柱１の上下位置）に保持させるだけの大きさであることが好ましい。挟持部材の先端と支柱１との接触面積を拡大するために、挟持部材の先端内側に可撓性のある部材を取り付けたり、挟持部材の内側形状を支柱１の外周形状に近似させたり、これらの技術を併用したりしても良い。
【００３０】
挟持部２１の支柱の一端には、継手部２２の一端が取り付けられている。継手部２２の他端には、受け部（図示略）が設けられ、この受け部に収容部材２３が取り外し可能に取り付けられている。継手部２２は、挟持部２１と収容部材２３とのなす角度が自由に変更可能であって、当該角度が保持可能なもの、例えば、自在継手（ユニバーサルジョイント）であることが好ましい。
【００３１】
収容部材２３の大きさ、重量、形状及び素材については、物品収容スタンド全体の重量や形状等のバランス、挟持部２１の挟持力、内部に収容する物品に対する収容性（例えば、耐久性、物品の内部での収まり具合等）などに影響を与えないものであれば、どのようなものでも良い。したがって、例えば、市販されているプリンやヨーグルト等の内容物を食べ終わった後に残った容器に専用の接続部品を両面テープで貼り付けて使用することも可能である。
【００３２】
次に、上記構成の物品収容スタンドの使用方法について説明する。この物品収容スタンドは、例えば、ベッドサイドに載置するものとする。まず、敷板部３を利用者のベッドの枕側近傍床上に載置する。次に、図１に示す各部が取り付けられたスタンドベース２の底部２ｃを敷板部３の略中央に載置する。そして、スタンドベース２の入電ソケット２０には、電源ケーブルの一方のプラグを挿入し、電源ケーブルの他方のプラグは、商用電源電圧ＡＣ１００Ｖの壁コンセントに挿入した後、スタンドベース２の電源スイッチを投入する。
【００３３】
これにより、照明部５は、常時点灯、あるいは、規則的又は不規則的な点滅等を行う。一方、スタンドベース２の内部では、内部照明部１７は、常時点灯、あるいは、規則的又は不規則的な点滅等を行う。
【００３４】
各収容部４１〜４４の収容部材２３には、利用者が所望の物品を収容する。例えば、数回分の薬剤、当該薬剤を服用するための水が入った容器、テレビ等のＡＶ機器、エアコン、照明器具等の各種リモコン、眼鏡又は眼鏡用ケース、懐中電灯、携帯電話やスマートフォン等の電子機器、腕時計、携帯用音楽再生機器、各種鍵、爪切り、はさみ、筆記用具、書籍、ティッシュなどである。
【００３５】
このように、物品収容スタンドをベッドサイズに載置し、各収容部４１〜４４の収容部材２３に所望の物品を収容しておけば、便利である。例えば、就寝前に、利用者がテレビ等を視聴をしており、今就寝することを考える。この場合、利用者は、まず、収容部４３の収容部材２３からテレビ用のリモコンを取り出し、当該リモコンでテレビの電源を切った後、当該リモコンを収容部４３の収容部材２３に戻す。次に、利用者は、収容部４４の収容部材２３から照明用のリモコンを取り出し、当該リモコンで部屋の照明の電源を切った後、当該リモコンを収容部４４の収容部材２３に戻す。
【００３６】
また、利用者は、就寝途中で目覚めた場合、照明部５及びスタンドベース２の内部照明部１７が点灯又は点滅等をしているので、ベッド下の位置や物品収容スタンドの位置等を確認することができ、物品収容スタンドに衝突等することなく、用を足すことができる。
【００３７】
さらに、利用者が、各収容部４１〜４４の収容部材２３から所望の物品を取り出したり、戻したりする際、当該物品を誤って落下させた場合、当該物品は、落下物受け取りネット６上に落下する。したがって、当該物品が床等に落下して故障又は破壊したり、あるいは、所在が分からなくなったりすることがない。
【００３８】
また、物品収容スタンドに利用者その他の者が誤ってぶつかったり、地震等により家屋自体が揺れたりした場合、スタンドベース２の底部２ｃにマグネット１５が取り付けられているので、敷板部３との間で磁力の働きにより、物品収容スタンドは転倒し難い。さらに、スタンドベース２の頂部２ａの貫通孔２ｂの周縁又は下部の一方又は両方には、緩衝部材１４が取り付けられているので、緩衝部材１４の働きにより、支柱１又は物品収容スタンド全体の揺れがある程度吸収されるので、物品収容スタンドは転倒し難い。
【００３９】
このように、本考案の一実施の形態によれば、この物品収容スタンドは、所望の場所、例えば、ベッドサイドなどに容易に設置することができるとともに、構造が簡単であるので、安価に構成することができる。また、この物品収容スタンドでは、各収容部４１〜４４は、挟持部２１を用いて支柱１の上下方向の任意の位置に容易に設置することができるので、使い勝手が良好である。
【００４０】
また、この物品収容スタンドは、利用者が、各収容部４１〜４４収容部から所望の物品を取り出したり戻したりする際、当該物品を誤って落下させた場合でも、落下物受け取りネット６上に落下するので、当該物品が床等に落下して故障又は破壊したり、あるいは、所在が分からなくなったりすることがない。さらに、この物品収容スタンドは、スタンドベース２の底部２ｃに取り付けられたマグネット１５と敷板部３との間の磁力の働き及び緩衝部材１４の働きにより、地震が発生した場合でも、転倒し難い。
【００４１】
以上、本考案の実施の形態について図面を参照して詳述してきたが、具体的な構成はこの実施の形態に限られるものではなく、本考案の要旨を逸脱しない範囲の設計の変更等があっても本考案に含まれる。
例えば、上述の一実施の形態では、支柱１は、小径筒状体１１及び大径筒状体１２の２段構成である例を示したが、これに限定されず、３段以上の構成又は１段のみの構成でも良い。
【００４２】
また、上述の一実施の形態では、各収容部４１〜４４を構成する継手部２２の他端には、図示せぬ受け部が設けられ、この受け部に収容部材２３が取り外し可能に取り付けられている例を示したが、これに限定されず、受け部に代えて、挟持部２１と同様の構造物、すなわち、クリップ様の構造物でも良い。このような構成にすれば、いわゆる使い捨てのプラスチック製のカップについても、その取ってを上記クリップ様の構造物で挟持して収容部材２３として用いることができる。
【００４３】
また、上述の一実施の形態では、電源が投入されている間は、照明部５及びスタンドベース２の内部照明部１７を常時点灯又は点滅等させる例を示したが、これに限定されず、予め開始時間及び終了時間を設定しておき、その時間だけ、照明部５及びスタンドベース２の内部照明部１７を常時点灯又は点滅等させるように構成しても良い。
【００４４】
また、上述の一実施の形態では、照明部５及びスタンドベース２の内部照明部１７だけを点灯又は点滅等させる例を示したが、これに限定されず、収容部材２３に発光ダイオード等の照明部材を取り付けておき、当該照明部材も点灯又は点滅等するように構成しても良い。この場合、収容部材２３ごとに、照明部材の点灯又は点滅等の仕方や、発光色を異ならせても良い。このように構成すれば、利用者は、収容部材２３ごとの照明部材の点灯又は点滅等の仕方や発光色と、収容されている物品との対応関係を覚えておけば、部屋の照明を点灯しなくても、どの収容部材２３にどの物品が収容されているかを認識することができる。
【００４５】
また、上述の一実施の形態では、収容部材２３の形状等と当該収容部材に収容する物品とを特に対応させない例を示したが、これに限定されず、収容部材２３の形状等と当該収容部材に収容する物品とを対応させるように構成しても良い。例えば、収容部材２３の表面に、収容する物品の名称を示す点字やマークを刻印したり、収容部材２３の形状自体を収容する物品ごとに異ならせても良い。さらに、収容部材２３の表面を触れることにより、収容する物品の名称を音声で知らせるように構成しても良い。このように構成すれば、利用者は、収容部材２３と収容されている物品との対応関係を覚えておけば、部屋の照明を点灯しなくても、又は視覚に障害があっても、どの収容部材にどの物品が収容されているかを認識することができる。
【００４６】
また、上述の一実施の形態では、収容部材２３の形状はいずれも有底であることを前提としているが、これに限定されず、収容する物品が、例えば、懐中電灯のように、大径部と小径部とが連続して構成されている形状を有するものの場合には、収容部材２３は、内径が物品の大径部より小さく、底部が開口した形状を有するものでも良い。
【００４７】
また、上述の一実施の形態では、スタンドベース２の内部には、内部照明部１７、ＡＣアダプター１８及びバッテリ１９が内蔵されている例を示したが、これに限定されず、これらに加えて、緊急地震速報を受信可能な受信機を内蔵しても良い。また、上述の一実施の形態では、スタンドベース２は、略球形状を呈している例を示したが、これに限定されず、略矩形体形状、略接頭円錐体形状、略接頭角錐体形状などの形状を呈していても良い。
【符号の説明】
【００４８】
１…支柱、２…スタンドベース、２ａ…頂部、２ｂ…貫通孔、２ｃ…底部、２ｄ…開口部、３…敷板部、４１〜４４…収容部、５…照明部、６…落下物受け取りネット、１１…小径筒状体、１１ａ…頂部、１２…大径筒状体、１３…固定部材、１４…緩衝部材、１５…マグネット、１６…落下物受け取りステー、１６１〜１６４…支柱、１６１ａ〜１６４ａ…取付部、１７…内部照明部、１８…ＡＣアダプター、１９…バッテリ、２０…入電ソケット、２１…挟持部、２２…継手部、２３…収容部材
【図１】
0003180047.tif 000003